(57)【要約】【課題】キッチンにおいて、ワークトップでの作業を効果的とする構造のキッチンキャビネットを提供することを課題とする。【解決手段】キッチンキャビネットの一部を昇降装置による小型の昇降キャビネットとし、収納時は通常のワークトップとして利用し、上昇時（利用時）は昇降キャビネット内に収納された食器類を手近にて利用することができ、天板はワークトップの一部として配膳等に利用できる。この昇降キャビネットは正面のみならず背面も開口されているため、ダイニング側からも食品の取り出しが容易である。  また、横型キャビネット（図５）の場合は濡れたままの皿を立てて収納し、乾いてから昇降キャビネットをキッチンキャビネット内へと収納することで、ワークトップやキッチンキャビネットの利便性も高まり、配膳の効率アップにもつながる。【選択図】図１
2017189187.tif 000002
【特許請求の範囲】
【請求項１】
正面と背面とが開口され、且つ昇降機能を具備したキャビネットであって、該キャビネットの全部を収納部とするキャビネット、若しくは一部を配膳スペースとして利用するキャビネットとし、該キャビネットの天板と、キッチンキャビネットのワークトップとが同一面としてキッチンキャビネット内に収納されることを特徴とする昇降キャビネット。
【発明の詳細な説明】
【技術分野】
【０００１】
本発明は、昇降キャビネットに関する。
【背景技術】
【０００２】
現代の台所は主にシステムキッチンにて構成され、調理器具や食器等の収納においても、流し台のキャビネットや食器棚また吊戸棚等に収納されている。この吊戸棚は設置位置が高いため利用しにくい形状であり、特に隅となる部分は容易に利用できない状況であり、よって特許文献１による形態が開示されている。また、高さに対しても特許文献２には巾広く昇降することで利便性に優れる構造が開示されている。
【０００３】
何れにしても屈んだり、背伸びしたり移動したり、決して効果的な収納状態とはいえない。また、近年利用の多いアイランドキッチンにおいても、食器類の多くは背面の食器棚やキッチンキャビネット内に収納されており容易に取り出すことのできる構造ではない。
【先行技術文献】
【特許文献】
【０００４】
【特許文献１】特開２００６−１９２１３１号公報
【特許文献２】特開２００４−２９８４２４号公報
【発明の概要】
【発明が解決しようとする課題】
【０００５】
特許文献１及び特許文献２においても、昇降時におけるスペースを確保する必要があり、また降下状態においても直下の作業に支障をきたし、食器を取り出し直ちに収納しなければならない状況といえる。
【０００６】
そこで、キッチンでの作業において効果的な収納形態を提供することを課題とする。
【課題を解決するための手段】
【０００７】
本願発明による昇降キャビネットは、小型の食器棚を昇降させて利用する形態である。収納時はワークトップと昇降キャビネットの天板とが同一面となり、通常のワークトップと変わるものではない。利用時は昇降キャビネットが上昇しワークトップ上に設置されることで昇降キャビネット内の食器を容易に取り出すことが可能となる。この昇降キャビネットは食事の際に最も利用頻度の高い食器でもある皿の利用に特化した考案であり、よって重量に対しても強固な構造とする必要があり、幾つかの課題を抱えるものである。これについては形態の項にて詳しく説明をする。
【０００８】
また、この昇降キャビネットは、収納量を優先する縦型と、利便性に優れる横型とに別けられる。当然個別に備えることも可能である。縦型においては、皿の収納や取り出しに対応しやすい構造とする必要があり、皿を利用する際には大きさの異なる皿が積み重ねられると作業が煩鎖になる。そこで昇降キャビネットの仕切板を任意の箇所に設置できる様に仕切板受けを多数備えた構造とすることで皿の大きさを区別して収納することが可能となる。
【０００９】
次に利便性に優れる横型の場合、下段には食器を収納せず、空けたままの状態でキッチンよりダイニングへと配膳窓口として利用するものである。これは両面が開口された昇降キャビネットの大きな特徴でもある。また皿を立てて個別に収納するラック式も有効であり、大きさや形状に関係なく個別に取り出すことができる。
【発明の効果】
【００１０】
本発明による昇降キャビネットの最大の特徴は、ワークトップにおいての作業時に、多数の皿を容易に利用できることである。これにより、従来のように色々な箇所から取り出す必要はなく、利用頻度の多い食器を収納することで、調理作業の効率を計ることができる。また、ワークトップを広く利用できるものであり配膳においても有利な形状である。また昇降キャビネットはキッチン側とダイニング側との両面が開放されているため、特にダイニング側より食器を取り出すことは従来には見られない特異な形状であり、簡素な食事であればこの昇降キャビネットの食器のみで賄うこともできる。
【００１１】
また皿を立てて収納する形態であれば、洗った皿をそのまま収納し、略乾いた後下部のキッチンキャビネット内へと降下収納することができる。当然食器から落ちる滴の処理として底面の仕切板は網状であり、脱着可能となるトレイ（滴受け）を設けることとなる。また棚の一部に調味料を配置したり、ナイフ等のカトラリーを収納することも効果的である。
【図面の簡単な説明】
【００１２】
【図１】本発明による昇降キャビネットを備えたキッチンキャビネットの正面図
【図２】本発明による昇降キャビネットを備えたキッチンキャビネットの平面図
【図３】本発明による昇降キャビネットの正面見取図
【図４】本発明による昇降キャビネット縦型の正面図
【図５】本発明による昇降キャビネット横型の正面図
【発明を実施するための形態】
【００１３】
昇降装置において詳しく説明すると、昇降キャビネット（２）の重量が大きいことから、昇降キャビネット（２）における昇降天板（底板）（３ｂ）は強固な素材により、最下位置（収納時）においては総重量を安定して支持すべく、昇降天板（底板）支持アングル（４ａ）を備えることが好ましい。また、昇降時の安定を計るための昇降キャビネット摺動用アングル（４ｂ）も必要と考えられる。
【００１４】
昇降機能としての駆動部は、例えば昇降天板（底板）（３ｂ）の四隅に小型の昇降用シリンダ（５）を備え昇降する方法がある。またコスト的には中心部に設置する１台のみのシリンダでも昇降可能とすることができるが、安定性を高めるため、シリンダ最頂部と昇降天板（底板）（３ｂ）との干渉域（接面）を広くすることが好ましい。
【００１５】
もう一つの方法として、昇降用モータ（６ａ）を利用し、昇降用伝達ギア（６ｂ）を介し、昇降キャビネット（２）の側板（３ｃ）において外側の略中央となる位置に昇降用ギア受け部（６ｃ）を設け昇降可能とすることもできる。しかしこれによる方法は昇降ギア受け部（６ｃ）が露出し視覚的に好ましいものではない。何れにしても幾つかの方法が考えられるが、今回限定すべき事項ではなく重要となるのは摺動時の安定を計るための摺動時安定保持機構を備えることである。
【００１６】
昇降キャビネット（２）について説明すると、縦型の場合は食器の大きさによって配置を分ける必要があり、昇降キャビネット（２）の側板（３ｃ）の内側に多数設けられた掛止部に仕切板（３ｄ）を掛止することで任意の位置に仕切板（３ｄ）を配置し、同一の食器ごとに収納することができる。
【００１７】
次に昇降キャビネット（２）横型の場合は、最下段を食器収納として利用せず、空けたままでダイニングテーブルの配膳窓口として利用するものである。これは従来よりワークトップ（１）にて盛り付けされた食器を、ダイニング側より容易に取るための利便性を重視したものであり、仮に昇降キャビネット（２）の天板（３ａ）に配膳したとしても、その高い位置においてはスープ類等危険を伴う食器も多い。この利用法によることで下段（昇降天板）（３ｂ）は、スープ等の配膳に供し、天板（３ａ）はサラダボール、パンバスケット、タッパー類等軽く扱い易いものに利用することで、従来より広いワークトップ（１）とすることができる。また横型キャビネットの場合は、配膳窓口の部分が、キッチンキャビネット内に収納された位置と、配膳窓口を含む昇降キャビネット（２）の全体が露出した最上位置との２つの位置にて停止する２段階停止構造とすることが必要となる。
【００１８】
次に昇降キャビネット（２）の構造上、重要な要素として強度を確保することにある。これは該昇降キャビネット（２）が両面を開口とするため、非常に不安定な構造であり、収納物の重量が大きいこともあり、左右の揺れに対し脆い形状である。そこで例えば昇降キャビネット（２）の周囲、特に四隅を金属製アングルで構成し、且つ昇降キャビネット（２）下部に突出した金属製アングルが、昇降キャビネット摺動用アングル（４ｂ）内に残ることで昇降キャビネット（２）の横揺れに対し効力を発揮する。また仕切板の一部を固定式として、昇降キャビネット（２）の正面（背面も含む）を、外周と固定仕切板との形状において一体となる金属製の枠体とすることでも、安定性を計ることができる。
【００１９】
また、昇降キャビネット（２）が最上位に位置するときは、例えばワークトップ（１）の下面側に掛止部（爪部）を設け、昇降天板（底板）（３ｂ）を固定、支持することで昇降キャビネット（２）の安定を計り、ワークトップ（１）と昇降天板（底板）（３ｂ）との面も段差なく、より均一な面とすることができる。
【００２０】
次に大家族やパーティーの時等多人数にて利用する方法として、昇降キャビネット（２）横型（図５）を利用し、大型の横長キャビネットを設置する替わりに、２台の横型を配置することで、１台若しくは２台として状況に応じて使い分けることができ効果的といえる。
【００２１】
そこでこの２台を食器収納部が露出し、配膳窓口が収納された状態、つまり下段の仕切板（３ｄ）とワークトップ（１）とが同一面となる位置にて利用する。これによって天板（３ａ）はやや低い位置に設定されるため、ワークトップ（１）の一部として利用し易いといえる。料理後の配膳の際には昇降キャビネット（２）を最上位置まで上昇させ通常の利用法とすることができる。
【００２２】
最後に安全性に対する見解を表すと、昇降キャビネット（２）の昇降時、主に上昇する際には食器等との接触のため、食器等が倒れたり損傷する場合が起こりやすい。これに対する方法として、例えば天板（３ａ）をワークトップ（１）と極端に異なる色にすることで、食器等の配置を容易に適正化することができる。また、昇降スイッチを作動させる場合も瞬時に判断することができる。この配色を極端に変えることは色彩アクセントとして効果的であり、美的感覚を高揚させるものである。
【００２３】
次にセンサを利用する方法として、例えば昇降キャビネット（２）の天板（３ａ）において、外周にセンサを備え食器等との接触を感知する方法や、画像センサを利用することも可能である。これらはコスト面も考慮し多角的に考察を要するものである。
【符号の説明】
【００２４】
１    ワークトップ
２    昇降キャビネット
３ａ  天板
３ｂ  昇降天板（底板）
３ｃ  側板
３ｄ  仕切板  
４ａ  昇降天板（底板）支持アングル
４ｂ  昇降キャビネット摺動用アングル
４ｃ  脚部
５    昇降用シリンダ
６ａ  昇降用モータ
６ｂ  昇降用伝達ギア
６ｃ  昇降用ギア受け部
６ｄ  昇降用モータ支持部
【図１】
2017189187.tif 000003
【図２】
2017189187.tif 000004
【図３】
2017189187.tif 000005
【図４】
2017189187.tif 000006
【図５】
2017189187.tif 000007